(57)【要約】【課題】磁気テープの巻姿などの内部検査が容易な磁気テープカートリッジ及びその磁気テープカートリッジの検査方法を提供する。【解決手段】カートリッジケースに磁気テープを巻装した単一のリールを回転可能に収容した磁気テープカートリッジであって、磁気テープの先端には引出し部材が設けられ、カートリッジケースには取出口が形成され、引出し部材が磁気記録再生装置に引き出される際に、取出口を開状態とするスライドドアが設けられ、スライドドアの少なくとも一部が透明部材で形成されている。【選択図】図２
2007220237.tif 000002
【特許請求の範囲】
【請求項１】
カートリッジケースに磁気テープを巻装した単一のリールを回転可能に収容した磁気テープカートリッジであって、
前記磁気テープの先端には引出し部材が設けられ、前記カートリッジケースには取出口が形成され、前記引出し部材が磁気記録再生装置に引き出される際に、前記取出口を開状態とするスライドドアが設けられ、前記スライドドアの少なくとも一部が透明部材で形成されていることを特徴とする磁気テープカートリッジ。
【請求項２】
前記スライドドアが、透明部材と非透明部材との２色成形によって構成されていることを特徴とする請求項１に記載の磁気テープカートリッジ。
【請求項３】
前記透明部材は、光線透過率が８０％以上の樹脂からなることを特徴とする請求項１又は２に記載の磁気テープカートリッジ。
【請求項４】
前記透明部材の外側表面を光沢面とすることを特徴とする請求項１から３のいずれか１つに記載の磁気テープカートリッジ。
【請求項５】
前記光沢面の表面粗さがＲａ１．０μｍ以下であることを特徴とする請求項４に記載の磁気テープカートリッジ。
【請求項６】
カートリッジケースに磁気テープを巻装した単一のリールを回転可能に収容した磁気テープカートリッジの検査方法であって、
前記引出し部材を磁気記録再生装置に引き出すため前記カートリッジケースに形成された取出口を開閉するスライドドアの、少なくとも一部が透明部材で形成され、前記透明部材に外部からレーザを照射することで内部検査を行うことを特徴とする磁気テープカートリッジの検査方法。
【発明の詳細な説明】
【技術分野】
【０００１】
本発明は、磁気テープカートリッジに関し、特に、磁気テープの巻姿などの内部検査が容易な磁気テープカートリッジ及びその磁気テープカートリッジの検査方法に関する。
【背景技術】
【０００２】
従来、コンピュータ等のデータバックアップ用の外部記録媒体として用いられる磁気テープカートリッジにおいては、磁気テープを巻装した単一のリールが下ハーフと上ハーフとからなるほぼ正方形の扁平なカートリッジケース内に回転可能に収容されている。この磁気テープカートリッジを使用する際には、記録再生装置のテープ引出機構がカートリッジケースから磁気テープを引き出して、引き出した磁気テープを記録再生装置に設けられたリールに巻き取ることにより磁気テープを走行させる。そのため、この種の単一のリールが収められている磁気テープカートリッジは、磁気テープの先端を引き出すための引出口がカートリッジケースの側壁に設けられ、磁気テープ又はこれに接続されたリーダテープの先端には、テープ引出機構が係合されるリーダピンがクリップにより固定、またはこれに代わる引出し部材が固定されている（例えば、下記特許文献１参照）。
【０００３】
【特許文献１】特開２００５−３１０３５４号公報
【発明の開示】
【発明が解決しようとする課題】
【０００４】
ところで、従来、磁気テープカートリッジの組み立て後に、磁気テープの巻姿などの内部検査を行っている。内部検査を行う際には、磁気テープカートリッジと遮蔽するスライドドアを開き、接触式の触芯を引出口から挿入する、又は、開放された取出口にレーザを照射するといった作業を行う必要がある。スライドドアをカートリッジごとに開閉するため、検査対象のカートリッジの数の増大とともに煩雑になり、検査の効率を向上させることができない点で改善の余地があった。
また、カートリッジは、磁気記録装置等のドライブの内部において光検出等のセンサを用いて検出を行うことが多く、カートリッジ全体を透明とすることはできなかった。
【０００５】
本発明は、上記事情に鑑みてなされたもので、その目的は、内部検査が容易な磁気テープカートリッジ及びその磁気テープカートリッジの検査方法を提供することにある。
【課題を解決するための手段】
【０００６】
本発明の上記目的は、カートリッジケースに磁気テープを巻装した単一のリールを回転可能に収容した磁気テープカートリッジであって、前記磁気テープの先端には引出し部材が設けられ、前記カートリッジケースには取出口が形成され、前記引出し部材が磁気記録再生装置に引き出される際に、前記取出口を開状態とするスライドドアが設けられ、前記スライドドアの少なくとも一部が透明部材で形成されていることを特徴とする磁気テープカートリッジによって達成される。
【０００７】
また、本発明の上記目的は、カートリッジケースに磁気テープを巻装した単一のリールを回転可能に収容した磁気テープカートリッジの検査方法であって、前記引出し部材を磁気記録再生装置に引き出すため前記カートリッジケースに形成された取出口を開閉するスライドドアの、少なくとも一部が透明部材で形成され、前記透明部材に外部からレーザを照射することで内部検査を行うことを特徴とする磁気テープカートリッジの検査方法によって達成される。
【０００８】
本発明によれば、カートリッジケースの取出口を開閉するスライドドアの少なくとも一部が透明部材で構成されている。そして、組み立て後に、内部検査を行う場合には、レーザ等の光を用いた検出機を使用することによって、組み立てられた磁気テープカートリッジのスライドドアを開く作業を省略することができ、検査の工程を簡単にすることができ、また、検査の効率を向上することができる。また、内部検査時には、取出口がスライドドアによって閉ざされているため、塵埃等が取出口からカートリッジケース内部に侵入することを回避することができる。さらに、検査機にスライドドアを開閉する機構を備える必要がなくなるため、検査機を安価に製作することができる。
【０００９】
上記磁気テープカートリッジは、スライドドアが、透明部材と非透明部材との２色成形によって構成されていることが好ましい。こうすれば、スライドドアの必要な機械的強度を確保することができる。
【００１０】
上記磁気テープカートリッジは、透明部材は、光線透過率が８０％以上の樹脂からなることが好ましい。こうすれば、検査機のレーザ等の光がスライドドアによって遮断されることなく、高い精度で検査を行うことができる。
【００１１】
上記磁気テープカートリッジは、透明部材の外側表面を光沢面とすることが好ましい。こうすれば、検査機のレーザ等の光がスライドドアの表面で散乱してしまうことを防止でき、高い精度で検査を行うことができる。
【００１２】
上記磁気テープカートリッジは、光沢面の表面粗さがＲａ１．０μｍ以下であることが好ましい。
【発明の効果】
【００１３】
本発明によれば、内部検査が容易な磁気テープカートリッジ及びその磁気テープカートリッジの検査方法を提供できる。
【発明を実施するための最良の形態】
【００１４】
以下、本発明の実施形態を図面に基づいて詳しく説明する。
図１は、本発明にかかる磁気テープカートリッジの一実施形態を示す分解斜視図である。図２は、図１の磁気テープカートリッジを組み立てた状態を示す全体斜視図である。
【００１５】
図１に示す磁気テープカートリッジは、いわゆるＬＴＯ規格に準拠した磁気テープカートリッジであり、下ハーフ１Ａと上ハーフ１Ｂとに分割構成されたカートリッジケース１を備えている。カートリッジケース１の内部に、あらかじめ磁気テープＭＴが巻装された単一のリール２と、リール２の回転をロックするためのロックプレート３と、上ハーフに係合するとともに、ロックプレート３を下ハーフ１Ａ側へ付勢する圧縮コイルばね４と、リール２のロック状態を解除するためのリリースパッド５とが備えられている。
【００１６】
また、カートリッジケース１の内部には、下ハーフ１Ａおよび上ハーフ１Ｂに跨ってカートリッジケース１に形成された磁気テープ引出口１Ｃを開閉するスライドドア６と、スライドドア６を磁気テープ引出口１Ｃの閉位置に付勢するねじりコイルばね７とが備えられている。
【００１７】
さらに、カートリッジケース１の内部には、誤消去防止爪８、カートリッジメモリチップ９などを組み込まれている。
【００１８】
リール２は、上ハーフ１Ｂ側に開口するカップ状ハブ２Ａを中心部に有し、このカップ状ハブ２Ａ内にリリースパッド５、ロックプレート３および圧縮コイルばね４が順次組み付けられる。リール２のカップ状ハブ２Ａの開口部側にはフランジ部２Ｂが溶着されている。
【００１９】
本発明に係る磁気テープカートリッジは、スライドドア６の少なくとも一部が透明部材で形成されている。ここで、透明部材としては、検査機で使用する光線を透過することができれば、その材質は特に限定されない。透明部材は、光線透過率が８０％以上の樹脂からなることが好ましい。
【００２０】
スライドドア６の一部を透明部材で形成するには、透明部材と非透明部材との２色成形によって構成することができる。こうすれば、透明部材として剛性が小さい材料を使用した場合であっても、スライドドアの必要な機械的強度を確保することができる。
【００２１】
スライドドア６に形成される透明部材の外側表面を光沢面とすることが好ましい。こうすれば、検査機のレーザ等の光がスライドドアの表面で散乱してしまうことを防止でき、高い精度で検査を行うことができる。ここで、光沢面の表面粗さがＲａ１．０μｍ以下であることが好ましい。
【００２２】
本実施形態の磁気テープカートリッジは、カートリッジケース１の取出口１Ｃを開閉するスライドドア６の少なくとも一部が透明部材で構成されている。そして、図２に示すように、組み立て後に内部検査を行う場合には、レーザ等の光を用いた検出機２１を使用することによって、組み立てられた磁気テープカートリッジのスライドドア６を開く作業を省略することができ、検査の工程を簡単にすることができ、また、検査の効率を向上することができる。また、内部検査時には、取出口１Ｃがスライドドア６によって閉ざされているため、塵埃等が取出口１Ｃからカートリッジケース１の内部に侵入することを回避することができる。さらに、検査機２１にスライドドア６を開閉する機構を備える必要がなくなるため、検査機２１を安価に製作することができる。
【図面の簡単な説明】
【００２３】
【図１】本発明にかかる磁気テープカートリッジの一実施形態を示す分解斜視図である。
【図２】図１の磁気テープカートリッジを組み立てた状態を示す全体斜視図である。
【符号の説明】
【００２４】
１    カートリッジケース
１Ｃ    取出口
２    リール
６    スライドドア
２１    検査機
ＭＴ    磁気テープ
【図１】
2007220237.tif 000003
【図２】
2007220237.tif 000004